(57)【要約】  【課題】化学的或いは物理的刺激に対して敏感な人であっても、カブレ、擦れ、肌荒れなどの肌トラブルを解消することができるようにすると同時に、体液の吸収速度の向上を図る。  【解決手段】透液性の表面シート３と、裏面シート２との間に吸収体４が介在された吸収性物品１において、前記表面シート３の肌当接面側にホスホリルコリン基含有重合体が塗布されている。前記吸収性物品１の肌当接面側に立体ギャザ７，７ー及び／又は両側部に配置されたサイド不織布９，９を有する場合は、これら立体ギャザー７，７及び／又はサイド不織布９，９にも前記ホスホリルコリン基含有重合体を塗布するのが望ましい。【選択図】図１
2006271652.tif 000002
【特許請求の範囲】
【請求項１】
透液性の表面シートと、裏面シートとの間に吸収体が介在された吸収性物品において、
前記表面シートの肌当接面側にホスホリルコリン基含有重合体が塗布されていることを特徴とする吸収性物品。
【請求項２】
前記吸収性物品は、肌当接面側に立体ギャザー及び／又は両側部に配置されたサイド不織布を有し、これら立体ギャザー及び／又はサイド不織布に前記ホスホリルコリン基含有重合体が塗布されている請求項１記載の吸収性物品。
【請求項３】
前記ホスホリルコリン基含有重合体は、固形分換算で0.021〜0.35g/m２の割合で塗布されている請求項１、２いずれかに記載の吸収性物品。
【請求項４】
前記吸収性物品は、生理用ナプキン、パンティライナー、失禁パッド、使い捨て紙おむつのいずれかである請求項１〜３いずれかに記載の吸収性物品。
【発明の詳細な説明】
【技術分野】
【０００１】
本発明は、肌トラブルを抑制するとともに、体液の吸収速度向上を図った吸収性物品に関する。
【背景技術】
【０００２】
従来より、生理用ナプキン、パンティライナー、失禁パッド、使い捨て紙おむつなどの吸収性物品として、ポリエチレンシート又はポリエチレンシートラミネート不織布などの不透液性シートと、不織布又は透液性プラスチックシートなどの透液性表面シートとの間に綿状パルプなどからなる吸収体を介在させたものが知られている。
【０００３】
この種の吸収性物品においても、近年は着用者の肌への優しさを求め、機能性物質、例えばスキンケア物質を表面シート等に添加したものが種々提案されている。
【０００４】
例えば下記特許文献１では、長時間装着してもカブレを起こさないように、油溶性ポリフェノールなどの油溶性皮膚収斂剤を含有させた吸収性物品が開示されている。
【０００５】
下記特許文献２では、おむつカブレを防止するために、吸収性基材にタンニン、没食子酸などのポリフェノールを保持させた紙おむつが開示されている。
【０００６】
下記特許文献３では、カブレを防止するために、吸収性物品にｐＨ調整剤を塗布した吸収性物品が開示されている。
【０００７】
下記特許文献４では、紙おむつのカフスに対して、皮膚との刺激を少なくするために、ローション組成物を含有させた吸収製品が開示されている。
【特許文献１】特開２００３−１２４９０号公報
【特許文献２】特開平３−２６８７５１号公報
【特許文献３】特開平２−１２６５号公報
【特許文献４】特表２０００−５０５６８２号公報
【発明の開示】
【発明が解決しようとする課題】
【０００８】
しかしながら、前述したような機能性物質は、多くの場合、皮膚のカブレ、擦れ、肌荒れなどの肌トラブルを解消するように機能するが、化学的或いは物理的刺激に対して敏感なアレルギー体質の人の場合は、逆に肌トラブルを悪化させてしまう場合があった。
【０００９】
そこで本発明の課題は、化学的或いは物理的刺激に対して敏感な人であっても、カブレ、擦れ、肌荒れなどの肌トラブルを解消することができるようにすると同時に、体液の吸収速度の向上を図った吸収性物品を提供することにある。
【課題を解決するための手段】
【００１０】
前記課題を解決するために請求項１に係る本発明として、透液性の表面シートと、裏面シートとの間に吸収体が介在された吸収性物品において、
前記表面シートの肌当接面側にホスホリルコリン基含有重合体が塗布されていることを特徴とする吸収性物品が提供される。
【００１１】
請求項２に係る本発明として、前記吸収性物品は、肌当接面側に立体ギャザー及び／又は両側部に配置されたサイド不織布を有し、これら立体ギャザー及び／又はサイド不織布に前記ホスホリルコリン基含有重合体が塗布されている請求項１記載の吸収性物品が提供される。
【００１２】
請求項３に係る本発明として、前記ホスホリルコリン基含有重合体は、固形分換算で0.021〜0.35g/m２の割合で塗布されている請求項１、２いずれかに記載の吸収性物品が提供される。
【００１３】
請求項４に係る本発明として、前記吸収性物品は、生理用ナプキン、パンティライナー、失禁パッド、使い捨て紙おむつのいずれかである請求項１〜３いずれかに記載の吸収性物品が提供される。
【発明の効果】
【００１４】
以上詳説のとおり本発明によれば、生体適合物質の一種であるとともに、保湿性、保護被膜形成能力、肌荒れ抑制効果のあるホスホリルコリン基含有重合体を吸収性物品の肌当接面側シートに塗布するようにしたため、化学的或いは物理的刺激に対して敏感な人の場合であっても、カブレ、擦れ、肌荒れなどの肌トラブルを効果的に解消することができると同時に、ホスホリルコリン基含有重合体は、親水性機能を向上させる効果を持つため、体液の吸収速度の向上が図れるようになる。
【発明を実施するための最良の形態】
【００１５】
以下、本発明の実施の形態について図面を参照しながら詳述する。図１は本発明に係る薄型生理用ナプキン１の一部破断斜視図である。
【００１６】
〔吸収性物品１の構造〕
生理用ナプキン１は、主にはパンティライナー、生理用ナプキン、おりものシート、失禁パッドなどの用途に供されるもので、例えば図１に示されるように、不透液性裏面シート２と、透液性表面シート３（以下、単に表面シートという。）との間に、吸収体４または同図に示されるように、クレープ紙５によって囲繞された吸収体４が介在されるとともに、前記表面シート３と吸収体４との間に親水性のセカンドシート６を配置した構造となっている。前記吸収体４の周囲においては、前記不透液性裏面シート２と表面シート３とがホットメルト接着剤等の接着手段によって接合されている。
【００１７】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１８】
前記表面シート３は、有孔又は無孔の不織布や多孔性プラスチックフィルムシートなどが好適に用いられる。不織布を構成する素材繊維としては、例えばポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。又、前記プラスチックフィルムシートとしては、例えばポリエチレン、ポリプロピレン等のオレフィン系樹脂、ポリエステル、ナイロン等のポリアミド系樹脂、エチレン−酢酸ビニル共重合体（ＥＶＡ）などを好適に使用することができる。
【００１９】
本生理用ナプキン１においては、前記表面シート３の肌当接面側に、ホスホリルコリン基含有重合体が塗布されている。このホスホリルコリン基含有重合体は、一分子中に生体膜の構成成分であるリン脂質極性基（ホスホリルコリン基）と重合性を有するメタクリロイル基とを併せ持つ２−メタクリロイルオキシエチルホスホコリン（ＭＰＣ）の重合体（以下、ＭＰＣポリマーという。）である。近年、大量生産技術が確立し、例えばバイオメディカルサイエンス分野、バイオテクノロジー分野、医薬品分野、化粧品分野などでの開発が期待されている。例えば、人工血管の内壁面を前記ＭＰＣポリマーで覆うと、タンパク質付着量が激減し、血液凝固を阻止できるようになるため、小口径２mmの人工血管の実用化が期待されているとともに、化粧品の応用では、ＭＰＣポリマーの配合によって優れた保湿効果を与えることができ、さらに前記ＭＰＣポリマーが皮膚表面に水和被膜を形成することにより皮膚を保護することができるなどの効果が望めるようになる。
【００２０】
本発明では前記ＭＰＣポリマーを吸収性物品に対して応用展開し、表面シート３の表面に塗布することにより、ナプキンの着用によって表面のＭＰＣポリマーが肌に転写され、皮膚上に水和膜を形成することにより、擦れなどの物理的刺激及び体液などにより化学的刺激をブロックすることにより、カブレやかゆみ、擦れ、肌荒れ等の肌トラブルを効果的に防止することができる。特に、このＭＰＣポリマーは、生体適合性が高いため、アレルギー体質の人であっても同様の効果が望めるようになる。
【００２１】
また同時に、前記ＭＰＣポリマーは、保湿効果を有することで知られるように、高い親水性の機能を兼ね備えるため、ＭＰＣポリマーが不織布繊維の表面に付着したり、プラスチックフィルムの孔部表面に付着することにより、親水性が高まり体液の吸収速度が向上するようになる。さらに、ＭＰＣポリマーは、血液凝固を防止することで知られるように、タンパク質や血球などの生体成分との相互作用が極めて小さい化学的に不活性な物質であるため、経血が繊維表面に凝固するのを防止し、血液の通過孔を閉塞させないため、最初の血液吸収後に、時間を空け再び経血の排出にあっても、長時間、高い吸収性能を持続させることができる。
【００２２】
前記ＭＰＣポリマーは、固形分換算で0.021〜0.35g/m２、好ましくは0.021〜0.25g/m２の割合で塗布するのが望ましい。塗布量が0.021g/m２未満では皮膚刺激抑制効果が期待できず、塗布量が0.35g/m２を超える場合には、親水性が高まり過ぎて開孔部に液が保水してしまい吸収速度が遅くなってしまう。なお、前記固形分換算で0.021〜0.35g/m２の範囲の内、0.25〜0.35g/m２の場合は、後述の実施例で示されるように、１回目の吸収速度は未塗布の場合よりも遅くなるが、２回目の吸収速度は速くなる傾向にある。
【００２３】
一方、前記不透液性裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２４】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２５】
前記透液性表面シート３と吸収体４との間に配置される親水性セカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。
【００２６】
〔他の形態例〕
(1)上記形態例では、肌との当接面が表面シート３のみである生理用ナプキンについて説明したが、図２に示されるように、表面側両側に、サイド不織布９，９を有するとともに、このサイド不織布によって立体ギャザー７，７が形成されている生理用ナプキン１Ａの場合には、前記表面シート３にホスホリルコリン基含有重合体を塗布する他、前記立体ギャザー７，７及び／又はサイド不織布９，９に前記ホスホリルコリン基含有重合体が塗布するようにしてもよい。
(2)上記形態例では、生理用ナプキンを例により本発明を適用した場合について述べたが、使い捨て紙おむつに対しても全く同様に適用することが可能である。
【実施例】
【００２７】
前記ＭＰＣポリマーの体液吸収速度の向上性能について調べた。実験は、ＭＰＣポリマー溶液を固形分換算で0.024g/m２、0.049g/m２、0.245g/m２、0.368g/m２、0.490g/m２で塗布した各ケースと、未塗布の場合について、吸収速度試験を実施した。
【００２８】
試験は、図３に示されるように、吸収体４の上面に供試体表面シートを重ね、直径２５mmの吸収筒１１を使用し、人工経血３ccを滴下し、吸収し始める時間を吸収速度とした。なお、表面シート３は、上層／中間層／下層がそれぞれ、不織布(15g/m２)／プラスチックフィルム(７g/m２)／不織布(１２g/m２)の３層構造のシートとし、開孔面積：０．４７mm２の開孔を開孔率：１１％で形成したものを使用した。
【００２９】
以上の試験結果を下表１に示すとともに、そのグラフを図４に示す。
【００３０】
【表１】
2006271652.tif 000003
【００３１】
上表１に示されるように、ＭＰＣポリマーを固形分換算で0.024g/m２、0.049g/m２、0.245g/m２で塗布した３つの供試体の場合は、塗布無しの場合に比べて、１回目吸収速度及び２回目吸収速度の両ケースにおいて、顕著に吸収速度が向上していることが分かる。
【図面の簡単な説明】
【００３２】
【図１】本発明に係る吸収性物品１の一部破断斜視図である。
【図２】吸収性物品の他例を示す平面図である。
【図３】吸収速度試験要領を示す図である。
【図４】実施例の吸収速度試験結果を示すグラフである。
【符号の説明】
【００３３】
１…吸収性物品（生理用ナプキン）、２…不透液性裏面シート、３…透液性表面シート、４…吸収体、５…クレープ紙、６…セカンドシート
【図１】
2006271652.tif 000004
【図２】
2006271652.tif 000005
【図３】
2006271652.tif 000006
【図４】
2006271652.tif 000007